(57)【特許請求の範囲】
【請求項１】
通信ネットワークを介して、携帯電話機とデータ作成配信サーバとが協働して、前記携帯電話機に実装して使用するための所定のデータを作成して提供するデータ作成システムであって、
前記データ作成配信サーバは、前記通信ネットワークを介して前記携帯電話機が接続されたとき、前記携帯電話機の操作手段で行われる操作に基づいて、前記携帯電話機の表示手段にデータ作成用画面を表示させると共に該データ作成用画面上で作成されるデザインを含むデータを前記表示手段に表示させ、前記表示手段に表示されているデータを完成データとして確定する操作が行われたときは、該完成データを前記携帯電話機に実装するための実装化データに変換し、得られた該実装化データを前記携帯電話機に配信することを特徴とするデータ作成システム。
【請求項２】
前記データ作成配信サーバは、
前記携帯電話機の前記操作手段で行われる操作に基づいて、前記表示手段にデータ作成用画面を表示させると共に該データ作成用画面上で作成される前記デザインを含むデータを前記表示手段に表示させるグラフィカル・ユーザ・インタフェースと、
前記表示手段に表示されているデータを完成データとして確定する操作が行われたときは、該完成データを前記携帯電話機に実装するための実装化データに変換する変換部と、
該変換部で得られた前記実装化データを保存する記憶部と、
該記憶部に保存されている前記実装化データを前記携帯電話機に配信する配信部とから構成されていることを特徴とする請求項１記載のデータ作成システム。
【請求項３】
前記通信ネットワークは、インターネットで構成され、
前記配信部は、
前記記憶部に保存されている前記実装化データを前記インターネットを介して前記携帯電話機と同等構成の指定された他の携帯電話機に配信する構成とされていることを特徴とする請求項２記載のデータ作成システム。
【請求項４】
前記データ作成用画面は、
グラフィカル・ユーザ・インタフェース（Graphical User Interface、ＧＵＩ）画面で構成されていることを特徴とする請求項１記載のデータ作成システム。
【請求項５】
通信ネットワークを介して、携帯電話機とデータ作成配信サーバとが協働して、前記携帯電話機に実装して使用するための所定のデータを作成して提供するデータ作成システムに用いられるデータ作成方法であって、
前記通信ネットワークを介して前記携帯電話機が前記サーバに接続されたとき、前記携帯電話機の操作手段で行われる操作に基づいて、前記携帯電話機の表示手段にデータ作成用画面を表示させると共に該データ作成用画面上で作成されるデザインを含むデータを前記表示手段に表示させ、前記表示手段に表示されているデータを完成データとして確定する操作が行われたときは、該完成データを前記携帯電話機に実装するための実装化データに変換し、得られた該実装化データを前記携帯電話機に配信するデータ作成配信処理を前記サーバに行わせることを特徴とするデータ作成方法。
【請求項６】
前記データ作成配信処理では、
前記通信ネットワークを介して前記携帯電話機が接続される電子機器接続処理と、
前記携帯電話機の前記操作手段で行われる操作に基づいて、前記表示手段にデータ作成用画面を表示させると共に該データ作成用画面上で作成される前記デザインを含むデータを前記表示手段に表示させる作成データ表示処理と、
前記表示手段に表示されているデータを完成データとして確定する操作が行われたとき、該完成データを前記携帯電話機に実装するための実装化データに変換する変換処理と、
該変換処理で得られた前記実装化データを保存する記憶処理と、
該記憶処理で保存されている前記実装化データを前記携帯電話機に配信する配信処理とを行うことを特徴とする請求項５記載のデータ作成方法。
【請求項７】
前記通信ネットワークは、インターネットで構成され、
前記配信処理では、
前記記憶処理で保存されている前記実装化データを前記インターネットを介して前記携帯電話機と同等構成の指定された他の携帯電話機に配信することを特徴とする請求項６記載のデータ作成方法。
【請求項８】
前記データ作成用画面として、グラフィカル・ユーザ・インタフェース（Graphical User Interface、ＧＵＩ）画面を用いることを特徴とする請求項５記載のデータ作成方法。
【請求項９】
コンピュータを、請求項１乃至４のいずれか一に記載のデータ作成システムとして機能させることを特徴とするデータ作成制御プログラム。
【発明の詳細な説明】
【技術分野】
【０００１】
この発明は、データ作成システム、該データ作成システムに用いられるデータ作成方法及びデータ作成制御プログラムに係り、たとえば、携帯電話機の開発設計段階などで、同携帯電話機のメモリ容量に制約があるときに、同携帯電話機の背面の表示部などに表示するためのデータや電話帳データなどを作成して提供する場合に用いて好適なデータ作成システム、該データ作成システムに用いられるデータ作成方法及びデータ作成制御プログラムに関する。
【背景技術】
【０００２】
携帯電話機の背面の表示部に表示される時刻データや装飾データの他、電話帳データなどの各種データは、同携帯電話機が完成している段階では、主に同携帯電話機のメモリが用いられることにより、データ作成用のプログラム上で作成されるが、同携帯電話機の開発設計段階では、データ作成のためのメモリの容量が十分に確保されないことがあり、プログラム化ができないという問題点がある。また、上記各種データは、ユーザが自作することができなかったり、コンテンツプロバイダで作成されたものが通信手段によってダウンロードされることもあるため、ユーザ又は開発設計担当者などの意に沿ったものにならないという問題点がある。このため、ユーザ又は開発設計担当者などが各種データを作成して携帯電話機に提供するデータ作成システムが提案されているが、この場合、パーソナルコンピュータ（パソコン）からネットワーク経由でサーバに接続し、サーバ側に用意されたＧＵＩ（Graphical User Interface、グラフィカル・ユーザ・インタフェース）を操作する必要があるなど、利用上の制約がある。
【０００３】
この種の関連技術としては、たとえば、特許文献１に記載されたものがある。
特許文献１に記載された店舗情報提供システムでは、顧客の携帯端末を使って、店舗の遠隔地に設置されている店舗案内板の店舗情報などが格納された２次元バーコードなどの情報記憶手段の内容を読み取るだけで、解析結果に応じた情報としての店舗情報が入手できるので、店舗に来店した際の席待ち時間などの無駄な時間が減少する。
【０００４】
また、特許文献２に記載されたプリント注文受付サーバでは、パーソナルコンピュータ（パソコン）の表示画面で表示される２次元バーコードからパソコンのコードリーダでアクセス情報が読み取られるため、注文したプリントに指定したコンテンツへのアクセス情報が埋め込まれた２次元バーコードが添付されているか否かがプリント注文時に容易に確認することができる。
【０００５】
また、特許文献３に記載されたＱＲコード生成システムでは、移動通信端末から機種識別情報がＱＲコード生成サーバへ送信され、同ＱＲコード生成サーバでは、機種識別情報が受信されたとき、端末情報管理手段に登録されている端末情報と機種識別情報とが比較され、該当する移動通信端末の端末情報がある場合には、この該当する端末情報から移動通信端末が備える表示装置の性能とＱＲコード読取装置の性能情報に対応したＱＲコードが生成され、移動通信端末へ送信される。これにより、移動通信端末が備える表示装置に最適なＱＲコードが提供され、ＱＲコード読取装置の読取精度が向上する。
【０００６】
また、特許文献４に記載された記事編集・送信システムでは、パソコンにより、記事の情報が２次元バーコードに変換され、同２次元バーコードが画面上に表示される。携帯電話機では、カメラ手段により２次元バーコードが撮影され、復号手段により同２次元バーコードが記事の情報に復号され、記事編集手段により記事が編集される。編集された記事は、送信手段により記事受信システムに送信される。
【特許文献１】特開２００５−３３２１３４号公報（第５頁、図２）
【特許文献２】特開２００６−０２０２０４号公報（第４頁、図１）
【特許文献３】特開２００６−２５２０５３号公報（第２頁、図２）
【特許文献４】特開２００６−２９３７０９号公報（第１頁、図２）
【発明の開示】
【発明が解決しようとする課題】
【０００７】
しかしながら、上記各文献に記載された技術では、次のような問題点があった。
すなわち、特許文献１に記載された店舗情報提供システムでは、顧客の携帯端末に店舗情報が提供されるが、ユーザが作成したデータが提供されるものではないので、上記の問題点は、改善されない。
【０００８】
特許文献２に記載されたプリント注文受付サーバでは、パソコンの表示画面で表示される２次元バーコードからアクセス情報が読み取られるが、ユーザが作成したデータが提供されるものではないので、上記の問題点は、改善されない。
【０００９】
また、特許文献３に記載されたＱＲコード生成システムでは、移動通信端末が備える表示装置に最適なＱＲコードが提供されるが、ユーザが作成したデータが提供されるものではないので、上記の問題点は、改善されない。
【００１０】
また、特許文献４に記載された記事編集・送信システムでは、パソコンにより、記事の情報が２次元バーコードに変換されて画面上に表示されるが、携帯電話機で使用するためのデータが提供されるものではないので、上記の問題点は、改善されない。
【００１１】
この発明は、上述の事情に鑑みてなされたもので、携帯電話機に実装するための各種データを、ユーザ又は開発設計担当者が同携帯電話機の代替として用いて作成するデータ作成システム、該データ作成システムに用いられるデータ作成方法及びデータ作成制御プログラムを提供することを目的としている。
【課題を解決するための手段】
【００１２】
上記課題を解決するために、この発明の第１の構成は、通信ネットワークを介して、携帯電話機とデータ作成配信サーバとが協働して、前記携帯電話機に実装して使用するための所定のデータを作成して提供するデータ作成システムに係り、前記データ作成配信サーバは、前記通信ネットワークを介して前記携帯電話機が接続されたとき、前記携帯電話機の操作手段で行われる操作に基づいて、前記携帯電話機の表示手段にデータ作成用画面を表示させると共に該データ作成用画面上で作成されるデザインを含むデータを前記表示手段に表示させ、前記表示手段に表示されているデータを完成データとして確定する操作が行われたときは、該完成データを前記携帯電話機に実装するための実装化データに変換し、得られた該実装化データを前記携帯電話機に配信することを特徴としている。
【００１３】
この発明の第２の構成は、通信ネットワークを介して、携帯電話機とデータ作成配信サーバとが協働して、前記携帯電話機に実装して使用するための所定のデータを作成して提供するデータ作成システムに用いられるデータ作成方法に係り、前記通信ネットワークを介して前記携帯電話機が前記サーバに接続されたとき、前記携帯電話機の操作手段で行われる操作に基づいて、前記携帯電話機の表示手段にデータ作成用画面を表示させると共に該データ作成用画面上で作成されるデザインを含むデータを前記表示手段に表示させ、前記表示手段に表示されているデータを完成データとして確定する操作が行われたときは、該完成データを前記携帯電話機に実装するための実装化データに変換し、得られた該実装化データを前記携帯電話機に配信するデータ作成配信処理を前記サーバに行わせることを特徴としている。
【発明の効果】
【００１４】
この発明の構成によれば、データ作成システムに通信ネットワークを介して携帯電話機が接続されたとき、同携帯電話機の操作手段で行われる操作に基づいて、携帯電話機の表示手段にデータ作成用画面が表示されると共に同データ作成用画面上で作成されるデザインを含むデータが同表示手段に表示される。そして、同表示手段に表示されているデータを確定する操作が行われたとき、同データが保存されると共に携帯電話機に配信される。これにより、パソコンなどを用いずに、携帯電話機で使用するためのデータを容易に作成できる。
【発明を実施するための最良の形態】
【００１５】
操作手段及び表示手段を有すると共に所定の通信ネットワークに接続可能な携帯電話機に対して、同携帯電話機で使用するための所定のデータを作成して提供するデータ作成システムに係り、上記通信ネットワークを介して上記携帯電話機が接続されたとき、同携帯電話機の上記操作手段で行われる操作に基づいて、上記表示手段にデータ作成用画面を表示させると共に同データ作成用画面上で作成されるデザインを含むデータを同表示手段に表示させ、同表示手段に表示されているデータを確定する操作が行われたとき、同データを上記携帯電話機に実装するための実装化データに変換して保存すると共に上記携帯電話機に配信するデータ作成配信手段が設けられているデータ作成システムを提供する。
【００１６】
また、この発明では、上記データ作成配信手段は、上記携帯電話機の操作手段で行われる操作に基づいて、表示手段にデータ作成用画面を表示させると共に同データ作成用画面上で作成されるデザインを含むデータを同表示手段に表示させるグラフィカル・ユーザ・インタフェースと、上記表示手段に表示されているデータを確定する操作が行われたとき、同データを上記携帯電話機に実装するための実装化データに変換する変換部と、同変換部で変換された上記実装化データを保存する記憶部と、同記憶部に保存されている上記実装化データを上記携帯電話機に配信する配信部とから構成されている。
【００１７】
また、この発明では、上記通信ネットワークは、インターネットで構成され、上記配信部は、上記記憶部に保存されている上記実装化データを上記インターネットを介して上記携帯電話機と同等構成の指定された他の携帯電話機に配信する構成とされている。
【００１８】
また、この発明では、上記データ作成用画面は、グラフィカル・ユーザ・インタフェース（Graphical User Interface、ＧＵＩ）画面で構成されている。
【実施例】
【００１９】
図１は、この発明の一実施例であるデータ作成システムの要部の電気的構成及び同データ作成システムが用いられる環境を示す図である。
この例のデータ作成システムは、同図に示すように、携帯電話機１に対し、同携帯電話機１で使用するための各種データ（たとえば、背面の表示部に表示される時刻データや装飾データの他、電話帳データなど）を作成して提供する機能を有し、サーバ２で構成されている。携帯電話機１は、操作手段及び表示手段を有すると共に所定の通信ネットワーク（たとえば、ローカル・エリア・ネットワーク、インターネットなど）３に接続可能である。
【００２０】
サーバ２は、たとえば工場などに設置されると共に、通信ネットワーク３を介して携帯電話機１が接続され、同サーバ２端末全体を制御するコンピュータとしてのＣＰＵ（中央処理装置）２０ａ及び同ＣＰＵ２０ａを動作させるためのデータ作成制御プログラムが記録されたＲＯＭ（Read Only Memory）２０ｂを有している。このデータ作成制御プログラムは、データを作成するためのプログラムやキャラクタが含まれている。特に、この実施例では、サーバ２は、ＧＵＩ（Graphical User Interface）部２１と、変換部２２と、記憶部２３と、配信部２４とを備えている。ＧＵＩ部２１は、携帯電話機１の操作手段で行われる操作に基づいて、同携帯電話機１の表示手段にＧＵＩ画面（データ作成用画面）を表示させると共に同ＧＵＩ画面上で作成されたデータを同表示手段に表示させる。変換部２２は、携帯電話機１の表示手段に表示されているデータを確定する操作が行われたとき、同データを同携帯電話機１に実装するための実装化データに変換する。記憶部２３は、たとえばＲＡＭ（Random Access Memory）で構成され、変換部２２で変換された実装化データを保存する。配信部２４は、記憶部２３に保存されている実装化データを携帯電話機１に配信（ダウンロード）する。
【００２１】
図２は、図１中の携帯電話機１の要部の電気的構成を示すブロック図である。
この携帯電話機１は、同図２に示すように、アンテナ１１と、無線部１２と、表示部１３ａ，１３ｂと、制御部１４と、メモリ１５と、カメラ１６と、操作部１７と、スピーカ１８と、マイク１９と、レシーバ２０とから構成されている。アンテナ１１は、図示しない無線基地局の受け持ちのセル内で同無線基地局と無線信号ｗを送受信する。無線基地局は、図示しない在圏移動通信交換局及び関門移動通信交換局を介して一般電話回線網に接続されている。無線部１２は、無線基地局との間でアンテナ１１を介して送受信される無線信号ｗに対して変復調などの処理を行う。表示部１３ａは、たとえば液晶表示装置などで構成され、電話番号、時計、サービス圏内／圏外、電話帳表示、スケジュール表示、カレンダー表示、機能メニュー表示、現在の動作モードなどを表示し、表示部１３ｂは、たとえばＬＥＤ（Light Emitting Diode、発光ダイオード）などで構成され、時計、サービス圏内／圏外、現在のモードなどを表示する。
【００２２】
カメラ１６は、たとえばＣＭＯＳセンサやＣＣＤセンサなどによるカメラで構成され、静止画撮影及び動画撮影を行う。操作部１７は、たとえば、送信キー、英字／カナ／漢字／数字の変換キー、電源のオン／オフキー、カーソル操作を行うための十文字キー、及び終了キーなどから構成され、ユーザの操作により、文字などの入力や項目の選択などの各種操作を行うための手段である。スピーカ１８は、着信音を発生する。マイク１９は、この携帯電話機の送話部としての機能を有している。レシーバ２０は、この携帯電話機の受話部としての機能を有している。メモリ１５は、たとえばＲＡＭで構成され、電話帳データ、撮影画像データ、ダウンロードデータなどを記憶する。制御部１４は、この携帯電話機全体を制御するＣＰＵ（中央処理装置）１４ａ及び同ＣＰＵ１４ａを動作させるための制御プログラムが記録されたＲＯＭ（リード・オンリ・メモリ）１４ｂを有している。
【００２３】
図３は、図２の携帯電話機の外観の一例を示す図であり、同図（ａ）は正面図、及び同図（ｂ）が背面図である。
この携帯電話機は、同図（ａ）に示すように、上部ユニット２１と、下部ユニット２２とを備えている。上部ユニット２１は、正面側に表示部１３ａ及びレシーバ２０を備え、下部ユニット２２が、正面側に操作部１７及びマイク１９を備えている。そして、上部ユニット２１の正面側及び下部ユニット２２の正面側同士が向かい合う態様でヒンジ部２３を介して折り畳み可能に構成されている。また、同図（ｂ）に示すように、上部ユニット２１は、背面側に表示部１３ｂ、カメラ１６及びスピーカ１８を備えている。
【００２４】
図４は、図１のデータ作成システムの動作を説明するシーケンス図である。
この図を参照して、この例のデータ作成システム（サーバ２）に用いられるデータ作成方法の処理内容について説明する。
このサーバ２では、携帯電話機１が通信ネットワーク３を介してサーバ２に接続され、同携帯電話機１の操作部１７で行われる操作に基づいて、表示部１３ａにＧＵＩ画面（データ作成用画面）が表示されると共に同ＧＵＩ画面上で作成されたデータが同表示部１３ａに表示される。そして、表示部１３ａに表示されているデータを確定する操作が行われたとき、同データが携帯電話機１に実装するための実装化データに変換されて保存されると共に同携帯電話機１に配信（ダウンロード）される（データ作成配信処理）。
【００２５】
すなわち、データ作成配信処理では、携帯電話機１の操作部１７で所定のキー操作が行われることにより、同携帯電話機１が通信ネットワーク３を介してサーバ２に接続され（ステップＡ１、電子機器接続処理）、同操作部１７で行われる操作に基づいて、ＧＵＩ部２１により、表示部１３ａにデータ作成用画面（ＧＵＩ画面）が表示される（ステップＡ２）。そして、携帯電話機１の操作部１７で所定のキー操作によりＧＵＩ画面上でデータ作成（デザイン）が行われ（ステップＡ３）、作成されたデータがＧＵＩ部２１により表示部１３ａに表示される（ステップＡ４、作成データ表示処理）。この場合、たとえば、携帯電話機１の背面側の表示部１３ｂに表示するためのパターンが、所望のデザインになるまで表示される。
【００２６】
操作部１７にて、表示部１３ａに表示されているデータを確定するキー操作（デザイン確定、“ＯＫ”）が行われたとき（ステップＡ５）、同データが変換部２２により実装化データに変換され（変換処理）、同実装化データが記憶部２３に保存される（記憶処理）。この記憶処理で保存されている実装化データは、配信部２４により携帯電話機１に配信（ダウンロード）される（ステップＡ６、配信処理）。表示部１３ａでは、“ダウンロード完了”、“保存”及び“中止”が表示される。この後、操作部１７にて“保存”又は“中止”に対応した操作が行われる。
【００２７】
以上のように、この実施例では、携帯電話機１が通信ネットワーク３を介してサーバ２に接続され、同携帯電話機１の操作部１７で行われる操作に基づいて、表示部１３ａにＧＵＩ画面が表示されると共に同ＧＵＩ画面上で作成されたデータが同表示部１３ａに表示され、表示部１３ａに表示されているデータを確定する操作が行われたとき、同データが携帯電話機１に実装するための実装化データに変換されて同携帯電話機１に配信されるので、携帯電話機１の背面側の表示部１３ｂに表示するためのパターンなどが、パソコンなどを用いずに、容易に作成される。また、表示部１３ｂに表示するためのパターンなどを作成するためのプログラムやキャラクタがデータ作成制御プログラムとしてサーバ２のＲＯＭ２０ｂに有り、携帯電話機１には搭載する必要がないので、同携帯電話機１のメモリ使用量が低減される。
【００２８】
以上、この発明の実施例を図面により詳述してきたが、具体的な構成は同実施例に限られるものではなく、この発明の要旨を逸脱しない範囲の設計の変更などがあっても、この発明に含まれる。
たとえば、通信ネットワーク２がインターネットで構成され、サーバ２の配信部２４が、記憶部２３に保存されている実装化データをインターネットを介して携帯電話機１と同等構成の指定された他の携帯電話機に配信する構成とされていれば、他の携帯電話機を保有している友人や家族などにもデータの配信指定することが可能なため、コミュニケーションの向上を図ることができる（請求項４、９に対応）。
【産業上の利用可能性】
【００２９】
この発明は、携帯電話機に限らず、たとえば、ＰＤＡ（Personal Digital Assistants ）など、操作手段及び表示手段を有すると共に所定の通信ネットワークに接続可能な電子機器全般に適用でき、特に、メモリ容量に制約のある電子機器の開発設計段階で用いて効果的である。
【図面の簡単な説明】
【００３０】
【図１】この発明の一実施例であるデータ作成システムの要部の電気的構成及び同データ作成システムが用いられる環境を示す図である。
【図２】図１中の携帯電話機１の要部の電気的構成を示すブロック図である。
【図３】図２の携帯電話機の外観の一例を示す図である。
【図４】図１のデータ作成システムの動作を説明するシーケンス図である。
【符号の説明】
【００３１】
１      携帯電話機（電子機器）
２      サーバ（データ作成システム）
３      通信ネットワーク
１３ａ，１３ｂ      表示部（表示手段、電子機器の一部）
１７      操作部（操作手段、電子機器の一部）
２０ａ      ＣＰＵ（中央処理装置）（データ作成システムの一部）
２０ｂ      ＲＯＭ（Read Only Memory）（データ作成システムの一部）
２１      ＧＵＩ（Graphical User Interface）部（データ作成配信手段の一部）
２２      変換部（データ作成配信手段の一部）
２３      記憶部（データ作成配信手段の一部）
２４      配信部（データ作成配信手段の一部）
【図１】
0005343392.tif 000002
【図２】
0005343392.tif 000003
【図３】
0005343392.tif 000004
【図４】
0005343392.tif 000005